(57)【要約】【課題】レインコートのような大型で重量のあるものであっても、蓋体が変形することなく確実に収納することができる釣り用収納体を提供することを課題とする。【解決手段】上端に収納口１Ａが開口される収納部１と、前記収納口１Ａを閉じるべく、該収納部１に揺動開閉自在に取付けられた内蓋２と、該内蓋２の閉塞状態で該内蓋２の周縁を覆うための鍔部３Ａが備えられ、前記収納部１に揺動開閉自在に取付けられた外蓋３とを備え、前記内蓋２の裏面側に前記収納部１の収納空間内に突出して収納物を収納可能な収納空間を形成するメッシュ状部材４を備えた。【選択図】図３
2008182901.tif 000002
【特許請求の範囲】
【請求項１】
上端に収納口が開口される収納部と、前記収納口を閉じるべく、該収納部に揺動開閉自在に取付けられた内蓋と、該内蓋の閉塞状態で該内蓋の周縁を覆うための鍔部が備えられ、前記収納部に揺動開閉自在に取付けられた外蓋とを備え、前記内蓋の裏面側に前記収納部の収納空間内に突出して収納物を収納可能な収納空間を形成するメッシュ状部材を備えたことを特徴とする釣り用収納体。
【請求項２】
前記内蓋の表面側に、該表面に沿うようにほぼフラットなシート状に構成された第２のメッシュ状部材を備え、そのメッシュ状部材に収納物を出し入れするための開口を開閉自在に設けたことを特徴とする請求項１記載の釣り用収納体。
【請求項３】
前記内蓋と前記外蓋とが、前記収納部を構成する同一の側部の上部にそれぞれ揺動自在に取付けられ、前記内蓋及び外蓋が閉じ状態から１８０度を越える角度まで開放揺動自在に構成され、該内蓋及び外蓋が揺動端から離れる側端ほど下方に位置する傾斜開放姿勢において該内蓋のメッシュ状部材の上部側に収納物出入り口を開閉自在に備えていることを特徴とする請求項１又は２記載の釣り用収納体。
【請求項４】
前記内蓋の外周縁と前記収納部の上端との間に、該収納部の収納口を開閉するためのスライドファスナーを設け、前記内蓋の表面側に取り付けた第２メッシュ部材と前記内蓋の裏面側に取り付けたメッシュ状部材と前記スライドファスナーを構成する一方のテープとを該内蓋の外周縁に一体的に縫い付けてなる請求項２又は３記載の釣り用収納体。
【発明の詳細な説明】
【技術分野】
【０００１】
本発明は、磯や波止等の釣り場に撒き餌を収納したバッカンや小物の釣具等を収納して携行する釣り用収納体に関する。
【背景技術】
【０００２】
上記釣り用収納体には、各種の小物を収納することができるポケットを備えているが、天候不良時や突然の雨に備えて、レインコート（所謂雨合羽）を携行したいものであるが、前記ポケットでは容量的な問題からレインコートを収納することができないものであった。
因みに、バケツ本体の蓋体の裏面に、折り曲げ可能な柔軟性を有する裏面とほぼ同一の大きさを有するシート材を添着してシート材と蓋体との間に収納部を設けた釣り用バケツが提案されている（例えば、特許文献１参照）。
【特許文献１】特開２００４−２６７１４２号公報（図１及び図２参照）
【発明の開示】
【発明が解決しようとする課題】
【０００３】
前記特許文献１によれば、バケツ本体の蓋体の裏面に裏面とほぼ同一の収納部を形成しているものの、その収納部が扁平なシート材であるため、収納空間を大きく取ることができないため、レインコートのような大型なものを収納することができないものであった。
又、蓋体が折り曲げ可能な柔軟性を有する合成樹脂シートで構成されていることから、蓋体自体の強度が弱いことから、蓋体に重量のあるレインコート等を収納すると、変形を招くことがあり、そもそも重量のあるものを蓋体に収納するという発想がないものであった。
【０００４】
本発明が前述の状況に鑑み、解決しようとするところは、レインコートのような大型で重量のあるものであっても、蓋体が変形することなく確実に収納することができる釣り用収納体を提供することを課題とする。
【課題を解決するための手段】
【０００５】
本発明の釣り用収納体は、前述の課題解決のために、上端に収納口が開口される収納部と、前記収納口を閉じるべく、該収納部に揺動開閉自在に取付けられた内蓋と、該内蓋の閉塞状態で該内蓋の周縁を覆うための鍔部が備えられ、前記収納部に揺動開閉自在に取付けられた外蓋とを備え、前記内蓋の裏面側に前記収納部の収納空間内に突出して収納物を収納可能な収納空間を形成するメッシュ状部材を備えたことを特徴としている。
内蓋の裏面と収納空間内に突出して収納物を収納可能なメッシュ状部材とで形成される収納空間内にレインコート等の釣り場に携行したい大型なものでも、収納することができる。しかも、内蓋の閉塞状態では、外蓋の鍔部が内蓋の周縁を覆うことから、内蓋を保護するとともに内蓋自体の保形強度を高めることができる。更に、メッシュ状部材であるから、内部に入った収納物を内蓋を開放するだけで外部から直ちに収納空間内に収納された収納物を視認することができる。又、メッシュ状部材が（適度な）柔軟性を有している部材で構成している場合には、メッシュ状部材で形成される収納空間内に収納物を使用していない状態において、収納部内に収納した収納物にて容易に押しつぶされて、収納部内の収納スペースを有効に使える利点がある。
【０００６】
前記内蓋の表面側に、該表面に沿うようにほぼフラットなシート状に構成された第２のメッシュ状部材を備え、そのメッシュ状部材に収納物を出し入れするための開口を開閉自在に設けてもよい。
【０００７】
前記内蓋と前記外蓋とが、前記収納部を構成する同一の側部の上部にそれぞれ揺動自在に取付けられ、前記内蓋及び外蓋が閉じ状態から１８０度を越える角度まで開放揺動自在に構成され、該内蓋及び外蓋が揺動端から離れる側端ほど下方に位置する傾斜開放姿勢において該内蓋のメッシュ状部材の上部側に収納物出入り口を開閉自在に備えもよい。
【０００８】
前記内蓋の外周縁と前記収納部の上端との間に、該収納部の収納口を開閉するためのスライドファスナーを設け、前記内蓋の表面側に取り付けた第２メッシュ部材と前記内蓋の裏面側に取り付けたメッシュ状部材と前記スライドファスナーを構成する一方のテープとを該内蓋の外周縁に一体的に縫い付けてもよい。
【発明の効果】
【０００９】
内蓋の裏面と収納空間内に突出して収納物を収納可能なメッシュ状部材とで形成される収納空間内にレインコート等の釣り場に携行したい大型なものでも、収納することができながらも、外蓋にて内蓋の変形も防止することができる。更に、メッシュ状部材であるから、内部に入った収納物を内蓋を開放するだけで外部から直ちに収納空間内に収納された収納物を視認することができる利点もある。又、メッシュ状部材が（適度な）柔軟性を有している部材で構成している場合には、収納部内に収納した収納物にてメッシュ状部材が容易に押しつぶされて、収納部内の収納スペースを有効に使える利点がある。
【００１０】
前記内蓋の表面側に、該表面に沿うようにほぼフラットなシート状に構成された第２のメッシュ状部材を備え、そのメッシュ状部材に収納物を出し入れするための開口を開閉自在に設けて、内蓋の表面側にも仕掛け等の小物を収納することができる。しかも、第２のメッシュ状部材がフラットなシート状であるため、内蓋が表面側に大きく突出することがないから、従来通り外蓋を内蓋に被せることができる。
【００１１】
前記内蓋と前記外蓋とが、前記収納部を構成する同一の側部の上部にそれぞれ揺動自在に取付けられ、前記内蓋及び外蓋が閉じ状態から１８０度を越える角度まで開放揺動自在に構成され、該内蓋及び外蓋が揺動端から離れる側端ほど下方に位置する傾斜開放姿勢において該内蓋のメッシュ状部材の上部側に収納物出入り口を開閉自在に備えている場合には、前記内蓋及び外蓋を全開状態にした時に、腰を大きく屈むことなく、内蓋の上部に備えさせた収納物出入り口を容易に開閉操作することができ、収納物の出し入れも容易に行える。
【００１２】
前記内蓋の外周縁と前記収納部の上端との間に、該収納部の収納口を開閉するためのスライドファスナーを設け、前記内蓋の表面側に取り付けた第２メッシュ部材と前記内蓋の裏面側に取り付けたメッシュ状部材と前記スライドファスナーを構成する一方のテープとを該内蓋の外周縁に一体的に縫い付けることによって、それらを別々に縫い付ける場合に比べて、縫い付ける作業を迅速に行うことができる。
【発明を実施するための最良の形態】
【００１３】
図１及び図２に、保冷機能を有する釣り用収納体（クーラー）を示している。この釣り用収納体は、上端に平面視ほぼ長方形状の収納口１Ａが開口される収納部１と、前記収納口１Ａを閉じるべく、該収納部１に揺動開閉自在に取付けられた内蓋２と、該内蓋２の閉塞状態で該内蓋２の周縁を覆うための鍔部３Ａが備えられ、前記収納部１に揺動開閉自在に取付けられた外蓋３とを備えている。又、図３及び図４に示すように、前記内蓋２の裏面側に前記収納部１の収納空間Ｓ内に突出して収納物を収納可能な収納空間を形成するメッシュ状部材４を備えている。ここでは、平面視長方形状の釣り用収納体を示しているが、正方形状又は円形状あるいは楕円形状等、どのような形状であってもよい。図１に示す１０は、収納部１の前部に取付けられた前方に突出するマチを有するポケットであり、それの開口がスライドファスナーにより開閉自在に構成されているが、無くてもよい。又、１１は、外蓋３を閉じ状態で保持するべく、外蓋３と収納部１との間に設けられたバックルであるが、バックル以外の固定手段にて外蓋３を閉じ状態で保持してもよい。
【００１４】
前記メッシュ状部材４は、図３にも示すように、１枚のメッシュ部材の４つの角部を上下方向で内側に折り込み、その折り込んで重なり合った部分を縫い合わせることにより、マチ部４Ｍを備えさせて、立体的な（ほぼ直方体）の収納空間を形成しているが、メッシュ状部材４そのものを円弧状に構成したものから収納空間を形成してもよいし、又、コスト面では不利になるが複数（例えば５枚）のメッシュ部材を連結して収納空間を形成してもよい。図３に示す４Ｌは、縫った糸のラインを示している。
【００１５】
前記収納部１の左右の側部に、長さ調整可能な肩掛けベルト５の両端がそれぞれ連結されており、肩掛けベルト５を利用して肩に掛けた状態で釣り用収納体を持ち運んだり、肩掛けベルト５を短くして手提げ用として利用できるようになっている。又、図１及び図６に示すように、ポリプロピレン（ＰＰ）等でなる帯板（テープ）状でアーチ状に取り付けられた前後一対の固定式の取っ手１８，１９を収納部１の前後側部の上部に取り付けている。図６の２０は、前記前後一対の取っ手１８，１９を上部で連結するための連結帯である。
【００１６】
前記収納部１は、図３に示すように、三層構造になっており、内側に合成樹脂製の内ケース６と、中間層としての断熱材７と、外層としての可撓性及び防水性を有する材料でなる外皮部８とからなっている。又、前記内蓋２は、収納口１Ａとほぼ同一形状に構成され、前記外皮部８と同様に可撓性及び防水性を有する材料でなる表地と裏地との間に薄板状の断熱材を介在させた状態で両者を縫い合わせて構成されている。前記内蓋２の外周縁と収納部１の上端の収納口１Ａとの間に、スライドファスナー９を備えており、スライドファスナー９にて内蓋２の外周縁と収納部１の上端の収納口１Ａとを閉塞することによって、クーラー（保温容器）としての機能を備えるだけでなく、内部の水が外部に漏れ出し難い密閉容器としても利用することができるようになっている。
【００１７】
前記スライドファスナー９は、図２及び図５に示すように、一対のテープ（基布）９Ａ，９Ａと、それらテープ９Ａ，９Ａに互いに対向するように取り付けられた多数の歯からなるエレメント（務歯部）９Ｂ，９Ｂと、前記一対のエレメント９Ｂ，９Ｂを噛み合わせる、又はその噛み合いを解除操作するための２つのスライダー（開閉部材）９Ｃ，９Ｃと、これらスライダー９Ｃ，９Ｃに取り付けられた摘み部９Ｄ，９Ｄとからなっている。
【００１８】
図２および図５に示すように、前記内蓋２の表面側に、該表面に沿うようにほぼフラットなシート状に構成された第２のメッシュ状部材１２を備え、そのメッシュ状部材に収納物を出し入れするための開口をスライドファスナー１３にて開閉自在に設けている。ここでは、釣り用収納体の前方側から迅速にスライドファスナー１３を開閉操作することができるように、スライドファスナー１３を前端寄りに配置しているが、中央位置又は後端寄り位置に配置してもよい。前記スライドファスナー１３は、図２及び図５に示すように、一対のテープ（基布）１３Ａ，１３Ａと、それらテープ１３Ａ，１３Ａに互いに対向するように取り付けられた多数の歯からなるエレメント（務歯部）１３Ｂ，１３Ｂと、前記一対のエレメント１３Ｂ，１３Ｂを噛み合わせる、又はその噛み合いを解除操作するための１つのスライダー（開閉部材）１３Ｃと、このスライダー１３Ｃに取り付けられた摘み部１３Ｄとからなっている。
【００１９】
前記外蓋３は、ほぼ長方形状の薄板状の天板部３Ｂと、この天板部３Ｂの外周縁から垂下した環状で板状の前記鍔部３Ａとからなり、外蓋３を閉じた状態では、鍔部３Ａが内蓋２の外周縁を完全に覆った状態になり、２重蓋でありながら、上下方向での蓋の厚みをできる限り抑えることができながらも、内蓋２を保護するとともに内蓋２自体の保形強度を向上させることができ、内蓋２が変形することがないようにしている。また、外蓋３にて外部からの水（雨など）の侵入も防ぐことができる利点がある。
又、前記内蓋２と前記外蓋３とが、前記収納部１を構成する同一の側部である後側部の上部にそれぞれ別々に揺動自在に取付けられている。具体的には、図４及び図５に示すように、後側部から上方に延びる幅広で（内蓋２よりも少し幅狭な寸法の）防水性を有するとともに可撓性を有する連結用生地１４の上端に内蓋２の一方の長辺部分を連結して、内蓋２を連結用生地１４を介して揺動自在に構成している。又、外蓋３は、後側部の上端よりも設定距離下方に位置する外面の左右２箇所に、一端が連結された長さ調節自在な左右一対のベルト１５，１５の他端に連結しており、外蓋３を左右一対のベルト１５，１５を介して揺動自在に構成しているが、これら構成は自由に変更可能である。
【００２０】
前記内蓋２及び外蓋３は、それらの閉じ状態から１８０度を越える角度まで開放揺動自在に構成され、図３及び図４に示すように、該内蓋２及び外蓋３が揺動端から離れる側端ほど下方に位置する傾斜開放姿勢において該内蓋２のメッシュ状部材４の上部側に収納物出入り口（実際にはスライドファスナー１６を開放したときに形成される）１７をスライドファスナー１６にて開閉自在に備えている。従って、上部に位置するスライドファスナー１６の摘み部１６Ｄを水平方向に迅速にスライド操作することができるだけでなく、収納物出入り口１７からの収納物（例えばレインコート）を腰を大きく屈むことなく容易に取り出したり、収納することができるようになっている。図３では、地面Ｆに外蓋３の前端部が接当することによって、傾斜角度になっているが、地面Ｆが無い空中では、内蓋２及び外蓋３が真下を向くようになっている。これは、外蓋３の前後方向の幅の寸法とベルト１５，１５の連結位置（ベルト１５の長さも含む）との関係によるものであり、地面Ｆに外蓋３の前端部が接当しない状態にすることもできるが、図に示す内蓋２が傾斜姿勢の場合が収納物（例えばレインコート）の出し入れには有利である。前記スライドファスナー１６は、一対のテープ（基布）１６Ａ，１６Ａと、それらテープ１６Ａ，１６Ａに互いに対向するように取り付けられた多数の歯からなるエレメント（務歯部）１６Ｂ，１６Ｂと、前記一対のエレメント１６Ｂ，１６Ｂを噛み合わせる、又はその噛み合いを解除操作するための１つのスライダー（開閉部材）１６Ｃと、このスライダー１６Ｃに取り付けられた摘み部１６Ｄとからなっているが、面ファスナーや釦やホック等の他の開閉手段であってもよい。
【００２１】
前記スライドファスナー９は、前記内蓋２の外周縁と前記収納部１の上端の収納口１Ａとの間に設けられ、前記内蓋２の表面側に取り付けた第２メッシュ部材１２と前記内蓋２の裏面側に取り付けたメッシュ状部材４と前記スライドファスナー９を構成する一方（内蓋２側）のテープ９Ａとを該内蓋２の外周縁に一体的に縫い付けており、それら３つの部材をそれぞれ縫い付ける場合に比べて、縫い付け作業の効率化を図ることができる。
【００２２】
前記メッシュ部材４又は１２は、繊維を素材としてなる網状体に合成樹脂をコーティングすることによって、網状体の剛性を高めることができるようにしているが、他の構成であってもよい。前記合成樹脂としては、ポリ塩化ビニル（ＰＶＣ）、ポリアミド（ＰＡ）、その他のポリエステル等を用いることができる。又、前記網状体を格子状に連結したものから構成することによって、網状体の保形強度を高めることができるが、格子状以外のものであってもよい。
【図面の簡単な説明】
【００２３】
【図１】釣り用収納体の正面図である。
【図２】外蓋を開放状態にした釣り用収納体の一部省略斜視図である。
【図３】外蓋及び内蓋を全開状態にした要部の縦断側面図である。
【図４】外蓋及び内蓋を全開状態にした釣り用収納体の背面図である。
【図５】外蓋を開放した状態を示す一部を省略した平面図である。
【図６】釣り用収納体の上部を示す斜視図である。
【符号の説明】
【００２４】
１…収納部、１Ａ…収納口、２…内蓋、３…外蓋、３Ａ…鍔部、３Ｂ…天板部、４…メッシュ状部材、４Ｍ…マチ部、５…ベルト、６…内ケース、７…断熱材、８…外皮部、９…スライドファスナー、９Ａ…テープ、９Ｂ…エレメント、９Ｃ…スライダー、９Ｄ…摘み部、１０…ポケット、１１…バックル、１２…メッシュ状部材、１３…スライドファスナー、１３Ａ…テープ、１３Ｂ…エレメント、１３Ｃ…スライダー、１３Ｄ…摘み部、１４…連結用生地、１５…ベルト、１６…スライドファスナー、１６Ａ…テープ、１６Ｂ…エレメント、１６Ｃ…スライダー、１６Ｄ…摘み部、１７…収納物出入り口、１８，１９…取っ手、２０…連結帯、Ｆ…地面、Ｓ…収納空間
【図１】
2008182901.tif 000003
【図２】
2008182901.tif 000004
【図３】
2008182901.tif 000005
【図４】
2008182901.tif 000006
【図５】
2008182901.tif 000007
【図６】
2008182901.tif 000008